(57)【要約】【課題】ランニングコストを抑えながら溶接ヒュームを捕集する構造を簡易に確保する。【解決手段】溶接ヒュームコレクター２０を、吸引ホースとしてのアルミダクト２と、アルミダクト２が接続されたジェットファン４と、ジェットファン４が接続された本体部６と、本体部６の内部に収容するフィルタ部材８とから構成し、フィルタ部材８におけるフィルタとして複数層に分けた備長炭５０を用いる。備長炭は、水をかけたり煮沸することにより機能が回復し、半永久的にその効果を持続可能であるから、フィルタの交換が必要なくランニングコストを抑えることができる。しかも、フィルタとして備長炭を用いるだけだから、溶接ヒュームを捕集する構造を簡易に確保することができる。【選択図】図２
0003153491.tif 000002
【実用新案登録請求の範囲】
【請求項１】
溶接作業に伴って発生する溶接ヒュームを吸引する吸引部と、該吸引部によって吸引された前記溶接ヒュームを捕集するフィルタ部材と、該フィルタ部材を収容する本体部と、を備える溶接ヒュームコレクターであって、
前記フィルタ部材は、フィルタとしての備長炭と、該備長炭を前記本体部内にて保持する保持部材と、を備える
溶接ヒュームコレクター。
【請求項２】
前記保持部材は、複数層のフィルタ層を形成するよう前記備長炭を複数段に保持可能に形成されてなる請求項１記載の溶接ヒュームコレクター。
【請求項３】
前記吸引部は、吸引ホースと、吸引力を発生すると共に内部に前記溶接ヒュームが流れる通路を有する吸引力発生手段と、を備え、
該吸引力発生手段は、前記吸引ホースと前記本体部との間に配置されてなる
請求項１または２記載の溶接ヒュームコレクター。
【請求項４】
前記本体部は、上部が開口した有底円筒状に形成されてなり、
前記上部には、前記吸引力発生手段の吸引力によって吸引された前記溶接ヒュームを前記フィルタ部材へ導く開口が中央部に形成された蓋部材が覆蓋されてなり、
該蓋部材は、外周端部から前記中央部に向かうに伴い前記フィルタ部材に漸次近づくようなすり鉢状の傾斜面を有し、
前記吸引力発生手段は、前記傾斜面に当接されてなる
請求項３記載の溶接ヒュームコレクター。
【請求項５】
前記蓋部材は、前記開口が前記フィルター部材の外径よりも小さい径に形成されてなる請求項４記載の溶接ヒュームコレクター。
【請求項６】
前記吸引ホースは、長さ寸法が径寸法に対して略５倍に形成されてなる請求項３ないし５いずれか記載の溶接ヒュームコレクター。
【考案の詳細な説明】
【技術分野】
【０００１】
本考案は、溶接ヒュームコレクターに関し、詳しくは、溶接作業に伴って発生する溶接ヒュームを吸引する吸引部と、この吸引部によって吸引された溶接ヒュームを捕集するフィルタ部材と、フィルタ部材を収容する本体部と、を備える溶接ヒュームコレクターに関する。
【背景技術】
【０００２】
従来、この種の溶接ヒュームコレクターとしては、溶接時に発生する溶接ヒュームを吸引用ファンモータの作用によって溶接箇所の近傍に置かれた吸引ノズルから吸引し、フィルタによって捕集するものが提案されている。この溶接ヒュームコレクターでは、フィルタの前方に凹凸を有するラビリンス状の通路を設け、この通路内の凹凸により比較的重量の重い溶接ヒュームを事前に捕集することにより、フィルタの負担を軽減するものとしている（例えば、特許文献１参照）。
【先行技術文献】
【特許文献】
【０００３】
【特許文献１】特開平４−２９８２１２号公報
【考案の概要】
【考案が解決しようとする課題】
【０００４】
ところで、フィルタは一定量の溶接ヒュームを捕集した後、新しいフィルタと交換することになるが、一般に溶接ヒュームコレクターに用いられるフィルタは特殊なフィルタであり、ランニングコストが高くつく。上述した溶接ヒュームコレクターでは、フィルタの交換頻度を低減できランニングコストを抑えることができるものの、フィルタの前方に凹凸を有するラビリンス状の通路を設ける必要があり、部品点数が増加して構造が複雑になるとともにコストも増加する。
【０００５】
本考案の溶接ヒュームコレクターは、ランニングコストを抑えながら溶接ヒュームを捕集する構造を簡易に確保することを主目的とする。
【課題を解決するための手段およびその作用・効果】
【０００６】
本考案の溶接ヒュームコレクターは、上記主目的を達成するために以下の手段を採った。
【０００７】
本考案の溶接ヒュームコレクターは、
溶接作業に伴って発生する溶接ヒュームを吸引する吸引部と、該吸引部によって吸引された前記溶接ヒュームを捕集するフィルタ部材と、該フィルタ部材を収容する本体部と、を備える溶接ヒュームコレクターであって、
前記フィルタ部材は、フィルタとしての備長炭と、該備長炭を前記本体部内にて保持する保持部材と、を備える
ことを要旨とする。
【０００８】
この本考案の溶接ヒュームコレクターでは、フィルタとして備長炭を使用する。備長炭は、水をかけたり煮沸することにより機能が回復し、半永久的にその効果を持続可能であるから、フィルタの交換が必要ない。フィルタとして備長炭を用いるだけだから、ランニングコストを抑えながら溶接ヒュームを捕集する構造を簡易に確保することができる。
【０００９】
こうした本考案の溶接ヒュームコレクターにおいて、前記保持部材は、複数層のフィルタ層を形成するよう前記備長炭を複数段に保持可能に形成されてなるものとすることができる。こうすれば、集塵性能を損なうことなく通気性を確保することができる。
【００１０】
また、本考案の溶接ヒュームコレクターにおいて、前記吸引部は、吸引ホースと、吸引力を発生すると共に内部に前記溶接ヒュームが流れる通路を有する吸引力発生手段と、を備え、該吸引力発生手段は、前記吸引ホースと前記本体部との間に配置されてなるものとすることもできる。こうすれば、吸引力発生手段をフィルタ部材の下流に配置するもに比較して吸引力の低下を抑制できる。即ち、吸引力発生手段をフィルタ部材の下流に配置した場合、フィルタ部材の通気抵抗によって吸引力が低下することになるが、吸引力発生手段をフィルタ部材の上流に配置すればこうした吸引力低下は生じない。
【００１１】
さらに、本考案の溶接ヒュームコレクターは、前記本体部は、上部が開口した有底円筒状に形成されてなり、前記上部には、前記吸引力発生手段の吸引力によって吸引された前記溶接ヒュームを前記フィルタ部材へ導く開口が中央部に形成された蓋部材が覆蓋されてなり、該蓋部材は、外周端部から前記中央部に向かうに伴い前記フィルタ部材に漸次近づくようなすり鉢状の傾斜面を有し、前記吸引力発生手段は、前記傾斜面に当接されてなるものとすることもできる。こうすれば、蓋部材と吸引力発生手段との接触を線接触とすることができ、シール性を向上することができる。即ち、蓋部材と吸引力発生手段との接触が面接触の場合には、吸引力発生手段が蓋部材に対して傾くと蓋部材と吸引力発生手段との間に隙間が生ずるが、蓋部材と吸引力発生手段との接触を線接触とすることにより、吸引力発生手段が蓋部材に対して傾いても蓋部材と吸引力発生手段との間に隙間が生ずることがない。しかも、傾斜面によって溶接ヒュームの流れを確実にフィルタに向けることができるから、溶接ヒュームの捕集効率を向上することができる。
【００１２】
また、本考案の溶接ヒュームコレクターは、前記蓋部材は、前記開口が前記フィルター部材の外径よりも小さい径に形成されてなるものとすることもできる。こうすれば、溶接ヒュームを確実にフィルタに接触させることができる。この結果、溶接ヒュームの捕集効率を向上することができる。
【００１３】
本考案の溶接ヒュームコレクターは、前記吸引ホースは、長さ寸法が径寸法に対して略５倍に形成されてなるものとすることもできる。こうすれば、溶接ヒュームの流れが乱流となるのを防止できる。
【図面の簡単な説明】
【００１４】
【図１】本考案の一実施形態としての溶接ヒュームコレクター２０の構成の概略を示す構成図である。
【００１５】
【図２】本考案の一実施形態としての溶接ヒュームコレクター２０の分解斜視図である。
【００１６】
【図３】本体部６の詳細を示す詳細図である。
【００１７】
【図４】内部にフィルタ部材８が収容された円筒部材３２に蓋部材３６を取り付けた状態を示す斜視図である。
【００１８】
【図５】フィルタ部材８の外観を示す外観図である。
【００１９】
【図６】保持部材５２の外観を示す外観図である。
【考案を実施するための最良の形態】
【００２０】
次に、本考案を実施するための最良の形態を実施例を用いて説明する。
【実施例】
【００２１】
図１は本考案の一実施形態としての溶接ヒュームコレクター２０の構成の概略を示す構成図であり、図２は本考案の一実施形態としての溶接ヒュームコレクター２０の分解斜視図である。実施例の溶接ヒュームコレクター２０は、図１および図２に示すように、吸引ホースとしてのアルミダクト２と、アルミダクト２が接続されたジェットファン４と、ジェットファン４が接続された本体部６と、本体部６の内部に収容されたフィルタ部材８とを備える。
【００２２】
アルミダクト２は、蛇腹状に形成された自在ダクトとして構成されており、吸引口２ａを作業に合わせた最適な位置にセットできるようになっている。この吸引口２ａによって、溶接箇所から発生する溶接ヒュームが吸引される。また、アルミダクト２の長さは、内径に対して約５倍の値となるように設定されている。アルミダクト２は、実施例では、吸引口２ａから１ｍの長さまでは内径φ１５０ｍｍとし、それ以降ジェットファン４までの１ｍの長さはジェットファン４の内径φ２００ｍｍと同じ内径φ２００ｍｍとした。これにより、吸引口２ａから吸引される溶接ヒュームの流速を増速することができ、吸引効率を向上することができる。
【００２３】
ジェットファン４は、図示しない駆動モータと、駆動モータの回転軸に接続されたファンと、駆動モータおよびファンを収容するケースとを備え、駆動モータによりファンを回転するこによって吸引力を発生する周知の吸引ファンとして構成されている。ジェットファン４は、ケースにおける駆動モータの回転軸方向一端側にはアルミダクト２が、ケースにおける駆動モータの回転軸方向他端側には本体部６がそれぞれ気密に接続されることにより、アルミダクト２と本体部６との間に配置される。なお、ケース内部は、溶接ヒュームの流路として機能する。
【００２４】
図３は、本体部６の詳細を示す詳細図である。本体部６は、図示するように、上部が開口した有底円筒部材３２と、円筒部材３２の下部が載せられて円筒部材３２を支持するベース部材３４とを備え、底部３２ａには排気孔として円筒部材３２の内外を連通する大穴３２ｂが形成されている。底部３２ｂには、複数の孔が開けられたパンチングプレート３８が大穴３２ｂを覆うように配置される。また、円筒部材３２の上部には、円筒部材３２の内部にフィルタ部材８が収容されたあとに蓋部材３６が取り付けられる。蓋部材３６は、中央部に開口３６ａが形成されており、外周端部から開口３６ａに向かうに伴いフィルタ部材８側に漸次近づくような傾斜面３６ｂを有するすり鉢形状をしている。この傾斜面３６ｂに、ジェットファン４を当接して本体部６とジェットファン４とを接続する。ここで、ジェットファン４の当接部を傾斜面３６ｂとすることにより、両者の接触形態は線接触となるから、ジェットファン４が傾いた状態で傾斜面６に当接したとしても、ジェットファン４と傾斜面３６ｂとの間には隙間が生ずることがなく、シール性の向上が図れる。
図４は、内部にフィルタ部材８が収容された円筒部材３２に蓋部材３６を取り付けた状態を示す斜視図である。開口３６ａは、図４に示すように、円筒部材３２の内径および後述するフィルタ部材８の外径よりも小さい寸法に形成されている。
【００２５】
図５はフィルタ部材８の外観を示す外観図であり、図６は保持部材５２の外観を示す外観図である。フィルタ部材８は、図５に示すように、フィルタとしての備長炭５０と、備長炭５０を保持する保持部材５２とから構成されている。保持部材５２は、３つの受部５４，５４，５４が連結部材５６，５６，５６によって所定間隔をもって鉛直方向に連結された棚状に形成されており、各受部５４，５４，５４に備長炭５０が配置される。各受部５４，５４，５４の外径は、本体部６の円筒部材３２の内径よりも僅かに小さく形成されており、底部には図６に示すように複数の通気穴が形成されている。また、各受部５４，５４，５４のうち最も上方の受部５４には、取手５５が取り付けられている。
【００２６】
次に、こうして構成された実施例の溶接ヒュームコレクター２０の動作、特に溶接ヒュームを捕集する際の動作について説明する。溶接作業に際して吸引口２ａが溶接箇所近傍となるようアルミダクト２を配置し、ジェットファン４を作動する。ジェットファン４が作動すると、駆動モータが駆動してファンが回転し吸引力が発生する。これにより、溶接箇所から発生する溶接ヒュームが吸引口２ａから吸引される。吸引された溶接ヒュームはアルミダクト２，ジェットファン４の順に流れ蓋部材３６の開口３６ａから円筒部材３２内のフィルタ部材８に流れ込む。このとき、開口３６ａが円筒部材３２の内径およびフィルタ部材８の外径（詳細には、受部５４の外径）よりも小さい寸法に形成されているとともに、傾斜面３６ｂが形成されているから、開口３６ａから流れ込む溶接ヒュームを確実にフィルタとしての備長炭５０に当接することができる。なお、アルミダクト２の長さを内径に対して約５倍の値に設定されているから、フィルタ部材８に流れ込むまでの溶接ヒュームが乱流となることを良好に防止できる。
【００２７】
フィルタ部材８に流れ込んだ溶接ヒュームは、各受部５４，５４，５４に配置されたフィルタとして備長炭５０に接触することにより捕集され、浄化された空気だけが円筒部材３２の底部３２ａに形成された排気孔としての大穴３２ｂから排気される。ここで、備長炭５０を複数段に分けて設置するから、集塵性能を損なうことなく通気性を確保することができる。
【００２８】
以上説明した実施例の溶接ヒュームコレクター２０によれば、フィルタとして備長炭を用いるから、フィルタの交換が必要ない。即ち、備長炭は、水をかけたり煮沸することにより機能が回復し、半永久的にその効果を持続可能である。しかも、フィルタとして備長炭を用いるだけだから、ランニングコストを抑えながら溶接ヒュームを捕集する構造を簡易に確保することができる。また、備長炭を複数段に分けて配置するから、集塵性能を損なうことなく通気性を確保することができる。
【００２９】
また、実施例の溶接ヒュームコレクター２０によれば、ジェットファン４をアルミダクト２と本体部６との間に配置するから、ジェットファン４をフィルタ部材８の下流に配置するものに比較して吸引力の低下を抑制できる。即ち、ジェットファン４をフィルタ部材８の下流に配置した場合、フィルタ部材８の通気抵抗によって吸引力が低下することになるが、ジェットファン４をフィルタ部材８の上流に配置すればこうした吸引力低下は生じない。
【００３０】
さらに、実施例の溶接ヒュームコレクター２０によれば、ジェットファン４を蓋部材３６の傾斜面３６ｂに当接することにより蓋部材３６を介して本体部６に接続するから、ジェットファン４と蓋部材３６との接触形態が線接触となり、ジェットファン４が蓋部材３６に対して傾いた状態で当接したとしても、ジェットファン４と蓋部材３６との間に隙間が発生することがない。この結果、シール性を向上することができる。また、蓋部材３６の開口３６ａが円筒部材３２の内径およびフィルタ部材８の外径（詳細には、受部５４の外径）よりも小さい寸法に形成するから、開口３６ａから流れ込む溶接ヒュームを確実にフィルタとしての備長炭５０に当接することができる。しかも、蓋部材３６は傾斜面３６ｂを有するから、開口３６ａから流れ込む溶接ヒュームをより確実にフィルタとしての備長炭５０に当接することができる。
【００３１】
また、実施例の溶接ヒュームコレクター２０によれば、アルミダクト２の長さは、内径に対して約５倍の値となるように設定するから、フィルタ部材８に流れ込むまでの溶接ヒュームが乱流となることを良好に防止できる。
【００３２】
実施例の溶接ヒュームコレクター２０では、ジェットファン４はアルミダクト２と本体部６との間に接続するものとしたが、ジェットファン４は排気孔としての大穴３２ｂ直前に配置するものとしても差し支えない。
【００３３】
実施例の溶接ヒュームコレクター２０では、蓋部材３６は外周端部から開口３６ａに向かうに伴いフィルタ部材８側に漸次近づくような傾斜面３６ｂを有するすり鉢形状としたが、蓋部材３６は中央部に開口３６ａを有するドーナツ状の平円板としても構わない。
【００３４】
実施例の溶接ヒュームコレクター２０では、フィルタとしての備長炭５０を３段に分けるものとしたが、２段あるいは４段以上に分けるものとしても構わない。
【００３５】
実施例の溶接ヒュームコレクター２０では、受部５４の底部に直接フィルタとしての備長炭５０を置くものとしたが、受部５４の底部に不織布を介してから備長炭５０を置くものとしても構わない。
【００３６】
実施例の溶接ヒュームコレクター２０では、アルミダクト２は、内径φ１５０ｍｍとφ２００ｍｍとを接続した２段構成としたが、ジェットファン４の内径が例えばφ１５０ｍｍやφ１００ｍｍなど比較的小さい場合には、２段構成とする必要はない。即ち、吸引口２ａからジェットファン４までジェットファン４の内径と同じ内径のまま構成するものとしても良い。
【００３７】
以上、本考案の実施の形態について実施例を用いて説明したが、本考案はこうした実施例に何等限定されるものではなく、本考案の要旨を逸脱しない範囲内において、種々なる形態で実施し得ることは勿論である。
【符号の説明】
【００３８】
２      アルミダクト
２ａ    吸引口
４      ジェットファン
６      本体部
８      フィルタ部材
３２    円筒部材
３２ａ  底部
３２ｂ  大穴
３４    ベース部材
３６    蓋部材
３６ａ  開口
３６ｂ  傾斜面
３８    パンチングプレート
５０    備長炭
５２    保持部材
５４    受部
５５    取手
５６    連結部材
【図１】
0003153491.tif 000003
【図２】
0003153491.tif 000004
【図３】
0003153491.tif 000005
【図４】
0003153491.tif 000006
【図５】
0003153491.tif 000007
【図６】
0003153491.tif 000008
【手続補正書】
【提出日】平成21年7月3日(2009.7.3)
【手続補正１】
【補正対象書類名】図面
【補正対象項目名】全図
【補正方法】変更
【補正の内容】
【図１】
0003153491.tif 000009
【図２】
0003153491.tif 000010
【図３】
0003153491.tif 000011
【図４】
0003153491.tif 000012
【図５】
0003153491.tif 000013
【図６】
0003153491.tif 000014